(57)【要約】【課題】  鼻毛を安全性且つ迅速性に処理するための鼻毛脱毛器具を提供する。【解決手段】  脱毛ワックスを塗布する円錐状部と、円錐状部は直列に複数個に配置し、上方に位置する円錐状部から結合部の箇所で順次切り、使用する円錐状部が常に先頭に位置するようにし、円錐状部の下部には把持部を設け、脱毛ワックスを塗布した円錐状部を鼻孔に挿入して、該塗布された脱毛ワックスに鼻孔内の鼻毛を粘着して把持部を鼻孔から引く抜くことにより鼻毛を脱毛する鼻毛脱毛器具。【選択図】図１
2018082937.tif 000002
【特許請求の範囲】
【請求項１】
脱毛ワックスを塗布する円錐状部と、該円錐状部の下部には把持部を設け、脱毛ワックスを塗布した円錐状部を鼻孔に挿入して、該塗布された脱毛ワックスに鼻孔内の鼻毛を粘着して前記把持部を鼻孔から引く抜くことにより鼻毛を脱毛することを特徴とする鼻毛脱毛器具。
【請求項２】
前記円錐状部は直列に複数個に配置し、上方に位置する円錐状部から順次切り取り、常に使用する円錐状部が先頭に位置し、該円錐状部に脱毛ワックスを塗布して使用することを特徴とする請求項１に記載の鼻毛脱毛器具。
【請求項３】
前記円錐状部は、４個であることを特徴とする請求項２に記載の鼻毛脱毛器具。
【請求項４】
前記直列に配置された複数の円錐状部の結合部は、先頭の円錐状部と次の円錐状部との連結部が一番細く、把持部に近づくにしたがって連結部を次第に太くしたことを特徴とする請求項２または３に記載の鼻毛脱毛器具。
【請求項５】
前記円錐状部の外周の円形直径は鼻孔の直径よりも大きくしたことを特徴とする請求項１から３に記載から選択される鼻毛脱毛器具。
【発明の詳細な説明】
【技術分野】
【０００１】
本発明は、鼻毛を安全性且つ迅速性に処理するための鼻毛脱毛器具に関する。
【背景技術】
【０００２】
従来の鼻毛処理器具は、シェーバー等が多数提案されているが、鼻毛は立体的に生えており、かつ鼻腔前庭部のどこに生えているか判然としないことから、一本の鼻毛を処理することも困難である。処理した鼻毛を視認できないので、どの程度確実に処理されているか分からないといった問題があった。
【０００３】
このため、特許文献１(特開2016-107088号公報)に開示されているように、スプリングを軸部材に沿って収縮させて毛を挟み、スプリングの収縮状態を維持して移動することにより鼻毛を一気に抜き去る鼻毛脱毛器具が提供されている。
また、特許文献２(特開2014-168638号公報)に開示されているように、強力な粘着部に鼻毛を根本から貼り付け、親指挟んで抜く脱毛用粘着テープが提案されている。
【先行技術文献】
【特許文献】
【０００４】
【特許文献１】特開２０１６−１０７０８８号公報
【特許文献２】特開２０１４−１６８６３８号公報
【発明の概要】
【発明が解決しようとする課題】
【０００５】
前掲の特許文献１の鼻毛脱毛器具は、コイルで挟むのが鼻毛の一部なので、そこで切断され、根本から完全には抜けない場合もあり、鼻毛も鼻穴内壁にこびり付いている場合にはコイルで挟むのが困難であり、抜き残る場合がある等の問題点があった。
また、前掲の特許文献２の脱毛用粘着テープは、いちいち強力な粘着部に鼻毛を根本から貼り付けなければならず、親指を鼻毛に接触させなければならず不衛生であるといった問題点があった。また、従来技術として脱毛ワックスで脱毛する場合はエステサロンにいって処理する必要が経費や時間が不必要となる問題点があった。
本発明は、前述の問題点に鑑みなされたもので、簡単に鼻毛を安全性且つ迅速性に処理するための鼻毛脱毛器具を提供しようとするものであり、鼻穴内壁にこびり付いている鼻毛や、生えている方向がまちまちの鼻毛を一気に脱毛するを鼻毛脱毛器具を提供しようとするものである。
【課題を解決するための手段】
【０００６】
上記課題を解決するために、請求項１の発明は、脱毛ワックスを塗布する円錐状部と、該円錐状部の下部には把持部を設け、脱毛ワックスを塗布した円錐状部を鼻孔に挿入して、該塗布された脱毛ワックスに鼻孔内の鼻毛を粘着して前記把持部を鼻孔から引く抜くことにより鼻毛を脱毛することを特徴とする鼻毛脱毛器具である。
請求項２の発明は、請求項１に記載の鼻毛脱毛器具において、前記円錐状部は直列に複数個に配置し、上方に位置する円錐状部から順次切り取り、常に使用する円錐状部が先頭に位置し、該円錐状部に脱毛ワックスを塗布して使用することを特徴とする。
請求項３の発明は、請求項２に記載の鼻毛脱毛器具において、前記円錐状部は、４個であることを特徴とする。
【０００７】
請求項４の発明は、請求項２または３に記載の鼻毛脱毛器具において、前記直列に配置された複数の円錐状部の結合部は、先端の円錐状部と次の円錐状部が一番細く、把持部に近づくにしたがって次第に太くしたことを特徴とする。
請求項５の発明は、請求項１から３に記載から選択される鼻毛脱毛器具において、前記円錐状部の外周の円形直径は鼻孔の直径よりも大きくしたことを特徴とする。
【発明の効果】
【０００８】
本発明の鼻毛脱毛器具によれば、円錐状部の先端部を鼻孔に挿入するだけで、傘状の脱毛ワックスＷを表面に接触する鼻毛は全部脱毛することができ、簡単に鼻毛を安全性且つ迅速性に処理するための鼻毛脱毛器具を提供しようとするものであり、鼻穴内壁にこびり付いている鼻毛や、生えている方向がまちまちの複数の鼻毛を一気に脱毛することができる。                          
【図面の簡単な説明】
【０００９】
【図１】図１(ｂ)は本発明の鼻毛脱毛器具に対する実施例１の正面図、図１(ａ)はその左側面図、図１（ｃ）はその右側面図、
【図２】図２(ａ)は温めた脱毛ワックスに鼻毛脱毛器具の円錐状部を投入した状態の図、図２(ｂ)は円錐状部の先端に脱毛ワックスを塗布した状態の図、図２(ｃ)は円錐状部の先端に鼻孔に挿入して鼻毛を抜く状態の図、
【図３】使用した先頭の円錐状部を折って切り取った状態の図、
【図４】図４(a)は、鼻毛脱毛器具の実施例２の正面図、図４(ｂ)は先頭の円錐状部を折って切り取った状態の図である。
【発明を実施するための形態】
【００１０】
本発明の鼻毛脱毛器具の好適な実施例について、図面を参照して説明する。
【実施例１】
【００１１】
本発明の鼻毛脱毛器具の実施例１を、図１から図３に沿って説明する。
図１に示すように、鼻毛脱毛器具１は、主に、複数(４個)の円錐状部２と把持部３とが合成樹脂によって一体に形成され、４個の円錐状部２は、先頭の円錐状部２の底部２１と２番目の円錐状部２の先端部２３における頂部２２とが連結部４によって、直列に連なって一体に形成されている。
円錐状部２の先端部２３は鼻孔Ｎに挿入し易いように形成され、実施例１の円錐は円形外周のスカート部の直径は１５mmで高さ９mmであり、その直径は鼻孔Ｎの直径よりも大きくして、円錐状部２の全体が鼻孔Ｎに簡単には入り込まないようにしてある。なお、把持部３の直径は把持しやすいように５.２mmである。
この円錐状部２の形状もほぼ円錐状或いは傘状であればよく、図１に示すように、斜面の断面は直線ではなく内側に凹んだ湾曲状である。 
また、円錐状部２は直列に複数個に配置するのは、上方に位置する円錐状部２から連結部４で順次切り離し、先頭に位置する円錐状部２の先端部２３に脱毛ワックスを塗布して使用するようにしてある。
【００１２】
ここで、実施例１の使用方法を図２、図３で説明する。
先ず、図２(ａ)に示すように、温めた脱毛ワックスＷに鼻毛脱毛器具１の円錐状部２の先端部２３を投入する。通常、脱毛用ワックスＷは、温めるとドロッとした液状になり、常温や体温では固まる性質のもので、所謂、ブラジリアンワックス或いはビキニワックスと呼ばれるワックスで、エステサロン等で足等の脱毛に普通に使用されているものである。このため、脱毛用ワックスＷの使用に際しては、脱毛用ワックス缶５はヒーター６等で温める。
この脱毛用ワックスＷが流動性になった状態で、円錐状部２の先端部２３を液状に溶けた脱毛ワックスＷに漬け、脱毛用ワックスＷを塗布する。
次に、図２(ｂ)に示すように、円錐状部２の先端部２３に脱毛ワックスＷを塗布した状態で、脱毛用ワックス缶５から取り出すと、先端部２３には脱毛用ワックスＷを塗布された状態となる。
【００１３】
ここで、円錐状部２にしたのは、脱毛に脱毛ワックスＷの表面が作用するが、脱毛ワックスＷを塗布円錐状に塗布しても中心部が傘状なので、無駄な脱毛ワックスＷが少なくて済むからである。したがって、適度の脱毛ワックスＷが存在するように、他方内側に湾曲させててもよい。
このように、先頭の円錐状部２の先端部２３に脱毛ワックスＷを塗布状態に維持して、図２(ｃ)に示すように、脱毛ワックスＷが塗布された円錐状部２の先端部２３に鼻孔Ｎに挿入する。
【００１４】
この際、円錐状部２の外周部２４の円形直径は鼻孔Ｎの直径よりも大きくしてあるので、円錐状部２の全体が鼻孔Ｎに入り込むことがない。
この円錐状部２の先端部２３に鼻孔Ｎに挿入した状態をしばらく維持すると、脱毛ワックスＷは常温或いは体温で固化する性質のものであるので、円錐状部２の先端部２３の脱毛ワックスＷは鼻毛Ｈが張り付き保持した状態で固化する。この鼻毛Ｈと一緒に固化した状態であるので、鼻毛脱毛器具１の把持部３を鼻孔Ｎから引き抜くと、鼻毛Ｈも一緒に引き抜かれ、鼻毛Ｈの除去が完了する。
このように、鼻毛Ｈの除去が完了した鼻毛脱毛器具１は、図３に示すように、使用した先頭の円錐状部２を連結部４で折って切り取って、その下に位置する円錐状部２を先頭位置にて、次の使用状態を用意する。したがって、本実施例では円錐状部２が４個であるので、４回の脱毛処理が可能である。なお、実施例１での各連結部４の太さは均一で、簡単に折って切り取れる程度であるが、弱い力では折れない程度の強度で設計すればよい。なお、円錐状部２の個数は必要におうじて適宜に設定すればよい。
【実施例２】
【００１５】
次に、本発明の鼻毛脱毛器具の実施例２を、図４に沿って説明する。
実施例２は、図４(ａ)に示すように、直列に配置された複数の円錐状部２の底部２１と次の円錐状部２の頂部２２とは結合部４で連結されている。この連結部４は、先頭の円錐状部２Ａと次の円錐状部２Ｂとの連結部４Ａが一番細く、把持部３に近づくにしたがって連結部４Ｂ、連結部４Ｃと連結部４が次第に太くしてある。
これは、図４(ｂ)に示すように、先端の円錐状部２から順に折れ易くしてあるので、使用後には先頭の円錐状部２から順に除去でき無駄なく廃棄し、最後の円錐状部２まで使い切ることができる。他の構成は実施例１と同じであるので、説明は省略する。
【００１６】
このように、実施例１、及び、実施例２の鼻毛脱毛器具１によれば、円錐状部２の先端部２３を鼻孔Ｎに挿入するだけで、傘状の脱毛ワックスＷを表面に接触する鼻毛Ｈは全部脱毛することができ、簡単に鼻毛Ｈを安全性且つ迅速性に処理するための鼻毛脱毛器具を提供しようとするものであり、鼻穴内壁にこびり付いている鼻毛Ｈや、生えている方向がまちまちの複数の鼻毛Ｈを一気に脱毛することができる。
更に、実施例２の鼻毛脱毛器具１は先頭の円錐状部２から、順次折れやすくなっているので、無駄なく円錐状部２を使い切ることができる。
【００１７】
なお、本発明の特徴を損なうものでなければ、上記の実施例に限定されるものでないことは勿論である。
【符号の説明】
【００１８】
Ｗ・・脱毛ワックス、Ｈ・・鼻毛、Ｎ・・鼻孔
１・・鼻毛脱毛器具、
２・・円錐状部、２１・・底部、２２・・頂部、２３・・先端部、
２４・・外周部、
３・・把持部、
４,４Ａ,４Ｂ,４Ｃ・・連結部、
５・・脱毛用ワックス缶、
６・・ヒーター
【図１】
2018082937.tif 000003
【図２】
2018082937.tif 000004
【図３】
2018082937.tif 000005
【図４】
2018082937.tif 000006